(57)【要約】    【課題】      非線形歪みが発生した場合でも正確なアンテナ指向性制御が行えるようにすること。    【解決手段】  アレーアンテナの各アンテナブランチに主無線回路部１０３−１〜１０３−ｎと副無線回路部１０４−１〜１０４−ｎとを並列に配置し、主無線回路部１０３−１〜１０３−ｎとアレー合成部１０６との間に非線形歪み補償回路部１０５−１〜１０５−ｎを設け、制御部１０８が主無線回路部１０３−１〜１０３−ｎの出力信号レベルを監視し、閾値を超えないときは非線形歪み補償回路部１０５−１〜１０５−ｎの出力信号を判定回路部１６２に与え、閾値を超えるときは副無線回路部１０４−１〜１０４−ｎの出力信号を判定回路部１６２に与えるようにして選択回路部１０７を制御する。  【選択図】      図１
2006217146.tif 000002
【特許請求の範囲】
【請求項１】
アレーアンテナの各アンテナブランチでの受信信号とそれについて重み付け処理を行って合成した信号とに基づき重み係数を判断して重み付け処理を行うことを繰り返すアレー合成部と、前記アレーアンテナの各アンテナブランチに並列に設けられ対応するアンテナ素子が受信した無線信号をベースバンド信号にダウンコンバートする主無線処理手段及び副無線処理手段と、前記主無線処理手段及び副無線処理手段の複数個の入力側にそれぞれ配置され、前記アレーアンテナの対応するアンテナ素子が受信した無線信号の大部分を前記主無線処理手段に与え、非線形歪みを発生しない程度に少量の前記無線信号を前記副無線処理手段に与える分配手段の複数個と、前記主無線処理手段の複数個の出力側と前記アレー合成部における複数の重み付け処理手段の入力側との間に配置され対応する主無線処理手段の出力信号に含まれる非線形歪み成分を補償する非線形歪み補償処理手段の複数個と、前記アレー合成部において前記複数の重み付け処理手段に与える重み係数を判断する判定手段へのアンテナブランチ受信信号として前記副無線処理手段の複数個の出力信号と前記非線形歪み補償処理手段の複数個の出力信号との一方を選択する選択手段と、前記主無線処理手段の複数個がそれぞれ出力する受信ベースバンド信号の信号レベルを監視し、閾値を超えないときは前記選択手段に前記非線形歪み補償処理手段の複数個の出力信号を選択させ、閾値を超えるときは前記選択手段に前記副無線処理手段の複数個の出力信号を選択させる制御手段と、を具備することを特徴とするアレーアンテナ無線通信装置。
【請求項２】
前記分配手段は、前記副無線処理手段への分配を疎結合によって行う方向性結合器で構成される、ことを特徴とする請求項１記載のアレーアンテナ無線通信装置。
【請求項３】
前記制御手段は、前記主無線処理手段の複数個がそれぞれ出力する受信ベースバンド信号の信号レベルが、閾値を超えないときは前記副無線処理手段の複数個への供給電源をオフ操作し、閾値を超えるときは前記副無線処理手段の複数個への供給電源をオン操作する構成、を具備することを特徴とする請求項１記載のアレーアンテナ無線通信装置。
【発明の詳細な説明】
【技術分野】
【０００１】
本発明は、無線通信システムにおける基地局装置等が装備するアレーアンテナ無線通信装置に関する。
【背景技術】
【０００２】
図５は、従来のアレーアンテナ無線通信装置の概略構成例を示すブロック図である。図５に示す従来のアレーアンテナ無線通信装置は、アレーアンテナを構成する複数のアンテナ素子５０１−１〜５０１−ｎと、アンテナ素子５０１−１〜５０１−ｎと１対１の関係で設けられる無線回路部５０２−１〜５０２−ｎと、アレー合成部５０３と、復調処理部５０４とを備えている。
【０００３】
アレー合成部５０３は、無線回路部５０２−１〜５０２−ｎの各出力を１対１の関係で受ける重み付け回路部５３０−１〜５３０−ｎと、重み付け回路部５３０−１〜５３０−ｎの各出力を受ける合成部５３１と、無線回路部５０２−１〜５０２−ｎの各出力と合成部５３１の出力とに基づき重み付け回路部５３０−１〜５３０−ｎを制御する判定回路部５３２とを備えている。なお、アレー合成部５０３及び復調処理部５０４は、ディジタル信号処理で行うように構成したものが知られている。
【０００４】
以上の構成において、アンテナ素子５０１−１〜５０１−ｎが受信した信号は、それぞれ無線回路部５０２−１〜５０２−ｎに送られダウンコンバートされる。これらダウンコンバートされた信号は、それぞれ重み付け回路部５３０−１〜５３０−ｎにて判定回路部５３２から与えられる重み係数が乗算されて振幅及び位相の重み付けがなされた後、合成部５３１にてベクトル合成される。この合成された信号が復調処理部５０４に入力され、復調処理される。
【０００５】
このとき、判定回路部５３２では、アレー合成前の信号とアレー合成後の信号とを比較し、ＬＭＳ（Least Mean Square）等のアルゴリズムによって、アレー合成後の信号のＳＩＲ（Signal to Interference Ratio）が最大となるように重み係数を決定し、重み付け回路部５３０−１〜５３０−ｎに与える。
【０００６】
このアレーアンテナ無線通信装置によれば、各アンテナ素子での受信信号を全て用いて最適な重み付けを行い高速なアンテナ指向性制御が可能である。また、その演算アルゴリズムも整備されている（例えば非特許文献１）。
【０００７】
しかし、このアレーアンテナ無線通信装置では、受信信号に強電界が重畳されるなどが起こると、無線回路部では非線形歪みが発生するので、その歪み成分によって受信品質が劣化する。この歪み成分を抑圧するためアレーアンテナ無線通信装置に、例えば特許文献１の開示されているような非線形歪み補償回路を組み込むことが考えられる。まず、特許文献１に開示されている非線形歪み補償回路についてその概要を説明する。
【０００８】
図６は、前記特許文献１に記載された従来の非線形歪み補償回路を示すブロック図である。図６に示す非線形歪み補償回路は、直交復調器６０１、歪み補償器６０２、誤差検出器６０３、加算器６０４，６０５を有する構成になっている。
【０００９】
直交復調器６０１に入力される変調波は、ＱＰＳＫ、ＱＡＭ等の直交変調された変調波を想定している。そこで、それぞれの直交成分（チャネル）に関して、一般的な表記である、Ｉｃｈ，Ｑｃｈという表記を用いる。
【００１０】
直交復調器６０１は、入力された変調波を直交検波することによって、ベースバンド信号Ｉｃｈ１，Ｑｃｈ１を出力する。この直交復調器６０１は、入力変調波がＲＦ帯において非線形歪みの影響を受けている場合には、歪んだままの復調信号を出力する。このベースバンド信号Ｉｃｈ１，Ｑｃｈ１は、加算器６０４，６０５の一方の入力端に与えられる。加算器６０４，６０５の他方の入力端には、誤差検出器６０３の出力に基づき動作する歪み補償器６０２が出力する補償情報Ｃｏｎｔ−Ｉ，Ｃｏｎｔ−Ｑが与えられる。
【００１１】
誤差検出器６０３は、加算器６０４，６０５が出力するベースバンド信号Ｉｃｈ２，Ｑｃｈ２に基づき、直交復調されたベースバンド信号の信号点位置が、本来の信号点位置からどの程度ずれているかを検出し、誤差情報Ｅｉ、Ｅｑと本来の信号点位置情報ＳＥＬとを生成し、歪み補償器６０２に与える。
【００１２】
歪み補償器６０２は、誤差検出器６０３から受け取った誤差情報Ｅｉ、Ｅｑと本来の信号点位置情報ＳＥＬとを用いて補償情報Ｃｏｎｔ−Ｉ、Ｃｏｎｔ−Ｑを生成し、加算器６０４，６０５の他方の入力端に与える。
【００１３】
加算器６０４，６０５は、直交復調器６０１が出力するベースバンド信号Ｉｃｈ１，Ｑｃｈ１と歪み補償器６０２が出力する補償情報Ｃｏｎｔ−Ｉ、Ｃｏｎｔ−Ｑとを加算し、ベースバンド信号Ｉｃｈ２，Ｑｃｈ２を出力する。以上の動作が繰り返されて、最終的に非線形歪みが補償されたベースバンド信号Ｉｃｈ２、Ｑｃｈ２が得られる。
【００１４】
次に、図７は、図６に示す非線形歪み補償回路を組み込んだアレーアンテナ無線通信装置の構成例を示すブロック図である。なお、図７では、説明の容易化を図るため、図５に示すアレーアンテナ無線通信装置においてアンテナブランチ数は２つとしてある。即ち、図７に示すように、図５に示すアレーアンテナ無線通信装置において、無線回路部５０２−１，５０２−２とアレー合成部５０３との間に、図６に示す非線形歪み補償回路部７０１−１，７０１−２が挿入されている。
【００１５】
また、図８と図９は、受信信号７１０の到来方向は３０°である場合に観測ポイントを非線形歪み補償回路部７０１−１，７０１−２の入力段（７２０，７２１）と出力段（７３０，７３１）とに取った受信コンスタレーション図である。図８は、非線形歪みが無い場合を示し、図９は、非線形歪みが有る場合を示している。
【００１６】
なお、アンテナ素子５０１−１，５０１−２は、１／２波長間隔のリニアアレーであるとし、無線回路部５０２−１，５０２−２の振幅バラツキ及び位相特性のバラツキは、校正済みとしている。また、受信信号７１０はＢＰＳＫ信号であり、位相基準はアンテナ素子５０１−１側のアンテナブランチである。
【００１７】
非線形歪みが無い場合は、非線形歪み補償回路部７０１−１，７０１−２は動作しない。この場合は、図８に示すように、アンテナ素子５０１−１を備えたアンテナブランチに対してアンテナ素子５０１−２を備えたアンテナブランチの受信信号の位相が３０°遅れて観測される。この観測データに基づき判定回路部５３２では、アンテナ素子５０１−２を備えたアンテナブランチの受信信号に対して位相を３０°進ませるような重み係数を算出する。そして、受信信号７１０の利得が最大となるようにアレー合成されて、復調部５０４にて復調処理が行われる。
【００１８】
一方、受信信号７１０に強電界が重畳され非線形歪みが発生した場合は、非線形歪み補償回路部７０１−１，７０１−２が無線回路部５０２−１，５０２−２の出力信号に現れる非線形歪みに対応してそれぞれ動作する。この場合は、非線形歪み補償回路部７０１−１，７０１−２は、互いに異なる補償量で振幅と位相を調整する。したがって、図９に示すように、非線形歪み補償回路部７０１−１，７０１−２の出力段のコンスタレーションは、本来のコンスタレーション（図８）を反映しなくなる。つまり、正しいアンテナ指向性制御ができなくなる。
【特許文献１】特開２００２−２３２５０１号公報
【非特許文献１】菊間著「アレーアンテナによる適応信号処理」科学技術出版、１９９８年発行（１９頁図２．５等）
【発明の開示】
【発明が解決しようとする課題】
【００１９】
上記のように、特許文献１に示される非線形歪み補償回路を組み込んだアレーアンテナ無線通信装置では、各アンテナブランチの受信信号レベルが異なる場合、アンテナブランチ毎に振幅と位相の補償量が異なってしまうので、即ち、アレー合成部において受信波の到来方向が正しく反映されないので、正確なアンテナ指向性制御ができないという問題がある。
【００２０】
本発明は、かかる点に鑑みてなされたものであり、非線形歪みが発生した場合でも正確なアンテナ指向性制御が可能となるアレーアンテナ無線通信装置を提供することを目的とする。
【課題を解決するための手段】
【００２１】
かかる課題を解決するため、本発明に係るアレーアンテナ無線通信装置は、アレーアンテナの各アンテナブランチでの受信信号とそれについて重み付け処理を行って合成した信号とに基づき重み係数を判断して重み付け処理を行うことを繰り返すアレー合成部と、前記アレーアンテナの各アンテナブランチに並列に設けられ対応するアンテナ素子が受信した無線信号をベースバンド信号にダウンコンバートする主無線処理手段及び副無線処理手段と、前記主無線処理手段及び副無線処理手段の複数個の入力側にそれぞれ配置され、前記アレーアンテナの対応するアンテナ素子が受信した無線信号の大部分を前記主無線処理手段に与え、非線形歪みを発生しない程度に少量の前記無線信号を前記副無線処理手段に与える分配手段の複数個と、前記主無線処理手段の複数個の出力側と前記アレー合成部における複数の重み付け処理手段の入力側との間に配置され対応する主無線処理手段の出力信号に含まれる非線形歪み成分を補償する非線形歪み補償処理手段の複数個と、前記アレー合成部において前記複数の重み付け処理手段に与える重み係数を判断する判定手段へのアンテナブランチ受信信号として、前記副無線処理手段の複数個の出力信号と前記非線形歪み補償処理手段の複数個の出力信号との一方を選択する選択手段と、前記主無線処理手段の複数個がそれぞれ出力する受信ベースバンド信号の信号レベルを監視し、閾値を超えないときは前記選択手段に前記非線形歪み補償処理手段の複数個の出力信号を選択させ、閾値を超えるときは前記選択手段に前記副無線処理手段の複数個の出力信号を選択させる制御手段とを具備する構成を採る。
【００２２】
この構成によれば、主無線処理手段の出力信号に非線形歪み成分が含まれると非線形歪み補償処理において振幅及び位相に変動が生ずるが、それとは無関係に非線形歪み成分が含まれない受信信号を用いて重み係数を求めることができるので、正確なアンテナ指向性制御が可能となり、受信品質の劣化も防ぐことができる。
【００２３】
本発明に係るアレーアンテナ無線通信装置は、上記の発明において、前記分配手段は、前記副無線処理手段への分配を疎結合によって行う方向性結合器で構成されるという構成を採る。
【００２４】
この構成によれば、副無線処理手段では非線形歪みを発生しないようにする分配手段を簡単に構成することができる。また、分配手段での損失が小さくなるので、復調処理系において、受信品質の劣化を防ぐことができる。
【００２５】
本発明に係るアレーアンテナ無線通信装置は、上記の発明において、前記制御手段は、前記主無線処理手段の複数個がそれぞれ出力する受信ベースバンド信号の信号レベルが、閾値を超えないときは前記副無線処理手段の複数個への供給電源をオフ操作し、閾値を超えるときは前記副無線処理手段の複数個への供給電源をオン操作する構成を具備する構成を採る。
【００２６】
この構成によれば、当該アレーアンテナ無線通信装置の省電力化が可能となる。
【発明の効果】
【００２７】
本発明によれば、非線形歪みが発生した場合でも受信品質を劣化させないで済むアレーアンテナ無線通信装置が得られる。
【発明を実施するための最良の形態】
【００２８】
本発明の骨子は、アレーアンテナの各アンテナブランチにおける無線回路部の出力段とアレー合成部の重み付け回路の入力側との間に非線形歪み補償回路を組み込む場合に、各アンテナブランチにもう一つの無線回路部を設け、このもう一つの無線回路部には非線形歪みが発生しない程度に少量のアンテナブランチ受信信号を与え、そのアンテナブランチ受信信号が前記無線回路部では非線形歪みを発生するような信号である場合は、もう一つの無線回路部の出力信号をアレー合成部に与え、非線形歪み補償回路における振幅及び位相の変動に影響されずに重み係数の算定が行えるようにすることである。
【００２９】
そして、新たに各アンテナブランチにもう一つの無線回路部を設けることによる電力消費の低減が図れるようにすることである。
【００３０】
以下、本発明の実施の形態について図面を参照して詳細に説明する。
【００３１】
図１は、本発明の一実施の形態に係るアレーアンテナ無線通信装置の構成を示すブロック図である。図１に示すアレーアンテナ無線通信装置１００は、アレーアンテナを構成する複数のアンテナ素子１０１−１〜１０１−ｎと、分配回路部１０２−１〜１０２−ｎと、主無線回路部１０３−１〜１０３−ｎと、副無線回路部１０４−１〜１０４−ｎと、非線形歪み補償回路部１０５−１〜１０５−ｎと、アレー合成部１０６と、選択回路部（ＳＷ）１０７と、制御部１０８と、復調処理部１０９とを備えている。
【００３２】
アレー合成部１０６は、重み付け回路部１６０−１〜１６０−ｎと、合成部１６１と、判定回路部１６２とを備えている。なお、アレー合成部１０６及び復調処理部１０９は、ディジタル信号処理で行うように構成することができる。
【００３３】
以上の構成において、アンテナ素子１０１−１〜１０１−ｎが受信した信号は、１対１の関係で設けられている分配回路部１０２−１〜１０２−ｎにて２分配される。一方の分配出力は、１対１の関係で設けられている主無線回路部１０３−１〜１０３−ｎに入力される。他方の分配出力は、１対１の関係で設けられている副無線回路部１０４−１〜１０４−ｎに図示例では直接入力される。このとき、分配回路部１０２−１〜１０２−ｎは、主無線回路部１０３−１〜１０３−ｎに対しては受信信号の大部分を与えるが、副無線回路部１０４−１〜１０４−ｎに対しては受信信号に強電界が重畳されるなどしていても非線形歪みを発生させない程度に少量の受信信号を与えるようになっている。これは、例えば疎結合によって信号分配が行える方向性結合器を用いることで実現することができる。
【００３４】
主無線回路部１０３−１〜１０３−ｎでは、分配回路部１０２−１〜１０２−ｎから入力される各アンテナブランチでの受信信号をベースバンド信号にダウンコンバートし、１対１の関係で設けられている非線形歪み補償回路部１０５−１〜１０５−ｎに与えるとともに、制御部１０８に与える。
【００３５】
非線形歪み補償回路部１０５−１〜１０５−ｎでは、主無線回路部１０３−１〜１０３−ｎが出力するベースバンド信号に非線形歪み成分が含まれている場合はそれを補償する。非線形歪み補償回路部１０５−１〜１０５−ｎの出力信号は、アレー合成部１０６において１対１の関係で設けられている重み付け回路部１６０−１〜１６０−ｎに入力されるとともに、選択回路部（ＳＷ）１０７に入力される。
【００３６】
また、副無線回路部１０４−１〜１０４−ｎでは、分配回路部１０２−１〜１０２−ｎから入力される各アンテナブランチでの受信信号をベースバンド信号にダウンコンバートして選択回路部（ＳＷ）１０７に出力する。
【００３７】
選択回路部（ＳＷ）１０７は、制御部１０８からの指示に従って、非線形歪み補償回路部１０５−１〜１０５−ｎの出力信号と、副無線回路部１０４−１〜１０４−ｎの出力信号との一方の出力信号を選択してアレー合成部１０６における判定回路部１６２に与える。
【００３８】
アレー合成部１０６では、重み付け回路部１６０−１〜１６０−ｎが、非線形歪み補償回路部１０５−１〜１０５−ｎの出力信号に判定回路部１６２から与えられる重み係数を乗算して振幅及び位相の重み付けを行う。合成部１６１は、このように重み付けされた各アンテナブランチの受信信号を合成して復調処理部１０９に与えるとともに、判定回路部１６２に与える。
【００３９】
判定回路部１６２は、アレー合成前の信号である選択回路部（ＳＷ）１０７の出力信号とアレー合成後の信号とを比較し、ＬＭＳ（Least Mean Square）等のアルゴリズムによって、アレー合成後の信号のＳＩＲ（Signal to Interference Ratio）が最大となるように重み係数を決定し、重み付け回路部１６０−１〜１６０−ｎに与える。
【００４０】
ここで、制御部１０８は、各アンテナブランチに入力される受信信号である主無線回路部１０３−１〜１０３−ｎの出力信号レベルを測定し、その出力信号レベルが閾値を超えない場合、つまり非線形歪み補償回路部１０５−１〜１０５−ｎが補償動作を行わない場合においては、副無線回路部１０４−１〜１０４−ｎの電源をオフにするとともに、選択回路部（ＳＷ）１０７に非線形歪み補償回路部１０５−１〜１０５−ｎの出力信号を選択させる。
【００４１】
一方、制御部１０８は、各アンテナブランチに入力される受信信号である主無線回路部１０３−１〜１０３−ｎの出力信号レベルが閾値を超えるときは、つまり非線形歪み補償回路部１０５−１〜１０５−ｎが補償動作を行う場合は、副無線回路部１０４−１〜１０４−ｎの電源をオンにするとともに、選択回路部（ＳＷ）１０７に副無線回路部１０４−１〜１０４−ｎの出力信号を選択させる動作を行うようになっている。
【００４２】
以下、図１〜図４を参照して、アレーアンテナ無線通信装置１００にて実施される本実施の形態に係る動作について説明する。なお、図２は、図１に示すアレーアンテナ無線通信装置のアンテナ指向性制御動作を説明するために要部を抜き出して示すブロック図である。図３は、図２に示す非線形歪み補償回路の入出力段及び副無線回路部の出力段を観測ポイントとする受信コンスタレーション図である。図４は、図１の示す制御部が行う切替回路の切替制御及び副無線回路部の電源制御を説明するタイムチャートである。
【００４３】
図２では、説明の容易化を図るため、図１に示すアレーアンテナ無線通信装置１００においてアンテナブランチ数は２つとし、アンテナ素子１０１−１，１０１−２は１／２波長間隔のリニアアレーであるとしている。受信信号２００の到来方向は３０°である。また、主無線回路部１０３−１，１０３−２及び副無線回路部１０４−１，１０４−２の振幅バラツキおよび位相バラツキは校正済みとする。
【００４４】
選択回路部（ＳＷ）１０７は、２つのスイッチ１０７ａ，１０７ｂを備えている。２つのスイッチ１０７ａ，１０７ｂでは、一方の切替入力端ａは非線形歪み補償回路部１０５−１，１０５−２の出力側に接続され、他方の切替入力端ｂは副無線回路部１０４−１，１０４−２の出力側に接続され、切替出力端は判定回路部１６２に接続されている。
【００４５】
観測ポイントは、非線形歪み補償回路部１０５−１，１０５−２の入力段（２０１，２０２）と出力段（２１１，２１２）、及び副無線回路部１０４−１，１０４−２の出力段（２２１，２２２）である。
【００４６】
図３では、受信信号２００に強電界が重畳され、主無線回路部１０３−１，１０３−２に非線形歪みが発生した場合における、観測ポイント２０１，２０２での受信コンスタレーション（Ａ）と、観測ポイント２１１，２１２での受信コンスタレーション（Ｂ）と、観測ポイント２２１，２２２での受信コンスタレーション（Ｃ）とが示されている。
【００４７】
図３において、観測ポイント２０１，２０２における受信コンスタレーション（Ａ）が本来の受信コンスタレーションである。しかし、主無線回路部１０３−１，１０３−２の出力信号に現れる非線形歪み成分に対応して動作する非線形歪み補償回路部１０５−１，１０５−２は、それぞれ互いに異なる補償量で振幅と位相を調整するので、観測ポイント２１１，２１２における受信コンスタレーション（Ｂ）は、本来の受信コンスタレーション（Ａ）とは異なるものとなる。つまり、観測ポイント２１１，２１２においては本来の受信コンスタレーション（Ａ）が観測できない。
【００４８】
一方、観測ポイント２２１，２２２においては、非線形歪み補償回路部１０５−１，１０５−２による振幅及び位相変動の影響が無い。また、副無線回路部１０４−１，１０４−２の出力信号には非線形歪み成分は現れ無い。したがって、観測ポイント２２１，２２２における受信コンスタレーション（Ｃ）は、本来の受信コンスタレーション（Ａ）とほぼ同じとなる。
【００４９】
そこで、本実施の形態では、制御部１０８にて、観測ポイント２０１，２０２の信号レベルを監視し、閾値を超えるときは、観測ポイント２２１，２２２にて観測されるコンスタレーション情報を判定回路部１６２に入力するようにしている。この構成とすれば、判定回路部１６２は、非線形歪み補償回路部１０５−１，１０５−２の出力に振幅及び位相の変動がある場合でも、本来のコンスタレーション情報を用いて重み係数を算定することができるので、ブランチ受信信号が主無線回路部１０３−１〜１０３−２で非線形歪みを発生するような信号であっても、それに影響されずに、正確なアンテナ指向性制御が可能となり、受信品質の劣化を招くことはない。
【００５０】
次に、図２を参照しつつ図４に沿って、制御部１０８が副無線回路部１０４−１，１０４−２及び選択回路部１０７を制御する動作について説明する。図４に示すように、制御部１０８は、主無線回路部１０３−１，１０３−２が出力するアンテナブランチの非線形歪み成分を含む受信信号レベル４０１に対して閾値４０２を有している。
【００５１】
制御部１０８は、受信信号レベル４０１が閾値４０２を超えない場合は、副無線回路部１０４−１，１０４−２の電源をオフ（ＯＦＦ）にし、かつ、選択回路部１０７のスイッチ１０７ａ，１０７ｂを一方の切替入力端ａ側に切り替える。
【００５２】
逆に、制御部１０８は、受信信号レベル４０１が閾値４０２を超える場合は、副無線回路部１０４−１，１０４−２の電源をオン（ＯＮ）にし、かつ、選択回路部１０７のスイッチ１０７ａ，１０７ｂを他方の切替入力端ｂ側に切り替える。
【００５３】
このように、本実施の形態によれば、主無線回路部に非線形歪みが発生した場合でも正確なアンテナ指向性制御が可能であり、受信品質の劣化を防ぐことができる。また、受信信号レベルに応じて副無線回路部の電源をオン・オフ制御する機能を備えているので、装置の省電力化が可能となる。
【産業上の利用可能性】
【００５４】
本発明は、非線形歪みが発生した場合でも正確なアンテナ指向性制御が行えるアレーアンテナ無線通信装置として有用である。
【図面の簡単な説明】
【００５５】
【図１】本発明の一実施の形態に係るアレーアンテナ無線通信装置の構成を示すブロック図
【図２】図１に示すアレーアンテナ無線通信装置のアンテナ指向性制御動作を説明するために要部を抜き出して示すブロック図
【図３】図２に示す非線形歪み補償回路の入出力段及び副無線回路部の出力段を観測ポイントとする受信コンスタレーション図
【図４】図１に示す制御部が行う切替回路の切替制御及び副無線回路部の電源制御を説明するタイムチャート
【図５】従来のアレーアンテナ無線通信装置の概略構成例を示すブロック図
【図６】従来の非線形歪み補償回路の構成例を示す概略ブロック図
【図７】図６に示す非線形歪み補償回路を組み込んだアレーアンテナ無線通信装置の構成例を示すブロック図
【図８】図７に示す非線形歪み補償回路の入出力段を観測ポイントとする受信コンスタレーション図（非線形歪みが無い場合）
【図９】図７に示す非線形歪み補償回路の入出力段を観測ポイントとする受信コンスタレーション図（非線形歪みが有る場合）
【符号の説明】
【００５６】
１００  アレーアンテナ無線通信装置
１０１−１〜１０１−ｎ  アンテナ素子（アレーアンテナ）
１０２−１〜１０２−ｎ  分配回路部
１０３−１〜１０３−ｎ  主無線回路部
１０４−１〜１０４−ｎ  副無線回路部
１０５−１〜１０５−ｎ  非線形歪み補償回路部
１０６  アレー合成部
１０７  選択回路部（ＳＷ）
１０７ａ，１０７ｂ  スイッチ
１０８  制御部
１０９  復調処理部
１６０−１〜１６０−ｎ  重み付け回路部
１６１  合成部
１６２  判定回路部
【図１】
2006217146.tif 000003
【図２】
2006217146.tif 000004
【図３】
2006217146.tif 000005
【図４】
2006217146.tif 000006
【図５】
2006217146.tif 000007
【図６】
2006217146.tif 000008
【図７】
2006217146.tif 000009
【図８】
2006217146.tif 000010
【図９】
2006217146.tif 000011